(57)【要約】【課題】携帯および使用に便利な入力装置を提供する。【解決手段】フレキシブルな本体１１、センサー電極層１２および保護層１３を含む。フレキシブルな本体１１は、第１の側１１１および第２の側１１２を有する。センサー電極層１２は、第１のセンサー電極１２１および第２のセンサー電極１２２を有し、フレキシブルな本体１１の第２の側１１２に設けられている。第１のセンサー電極１２１および第２のセンサー電極１２２は、相互に対応するように設けられている。保護層１３は、フレキシブルな本体１１の第２の側１１２に対応するように設けられ、センサー電極層１２を覆っている。入力装置が、フレキシブルな本体が高分子材料からなり、フレキシブルで軽くて薄いため、携帯および使用に便利である。【選択図】図１
0003185395.tif 000002
【実用新案登録請求の範囲】
【請求項１】
第１の側および第２の側を有するフレキシブルな本体と、
第１のセンサー電極および第２のセンサー電極を有し、前記第１のセンサー電極および前記第２のセンサー電極は相互に対応するように設けられているが、接触はせず、前記フレキシブルな本体の第２の側に設けられているセンサー電極層と、
前記フレキシブルな本体の前記第２の側に対応するように設けられ、前記センサー電極層を覆っている保護層と、を含むことを特徴とする入力装置。
【請求項２】
前記フレキシブルな本体は、タッチコントロールエリアおよび非タッチコントロールエリアを画定し、前記非タッチコントロールエリアは前記タッチコントロールエリアの周りに設けられ、前記センサー電極層の前記第１のセンサー電極および前記第２のセンサー電極は前記タッチコントロールエリア内に設けられ、一部分が前記非タッチコントロールエリアまで延伸していることを特徴とする請求項１に記載の入力装置。
【請求項３】
前記センサー電極層は、透明または透光のＩＴＯ、ナノ銀および金属ペーストのうちの一つであることを特徴とする請求項１に記載の入力装置。
【請求項４】
前記第１のセンサー電極および前記第２のセンサー電極に電気的に接続しているソフト回路基板を、さらに含むことを特徴とする請求項１に記載の入力装置。
【請求項５】
前記第１のセンサー電極および前記第２のセンサー電極に電気的に接続し、赤外線発射器、ブルートゥース発射器、ＲＦＩＤおよびＮＣＦ通信チップのうちの一つが選択される無線信号発射装置を、さらに含むことを特徴とする請求項１に記載の入力装置。
【請求項６】
前記保護層は、前記フレキシブルな本体の前記第２の側と反対の側に電磁シールドを設けていることを特徴とする請求項１に記載の入力装置。
【請求項７】
前記フレキシブルな本体の前記第１の側および前記保護層の片側のうちの一つに設けられる図案層を、さらに含むことを特徴とする請求項１に記載の入力装置。
【請求項８】
前記フレキシブルな本体は、高分子材料からなり、ＰＥＴ、ポリカーボネート、ポリエチレン、ポリ塩化ビニール、ポリプロピレン、ポリスチレン、ポリメタクリル酸メチル樹脂および環状オレフィン・コポリマーのうちの一つであることを特徴とする請求項１に記載の入力装置。
【請求項９】
実体のあるボタンおよびスライドスイッチのうちの一つを選択する切り換えユニットを、さらに含むことを特徴とする請求項１に記載の入力装置。
【請求項１０】
前記フレキシブルな本体の前記非タッチコントロールエリアに設けられ、前記第１のセンサー電極および前記第２のセンサー電極に電気的に接続している電源を、さらに含むことを特徴とする請求項１に記載の入力装置。
【考案の詳細な説明】
【技術分野】
【０００１】
本考案は、入力装置に関し、特に、携帯および使用に便利な入力装置に関する。
【背景技術】
【０００２】
タッチパネル技術の向上につれ、スマートフォン、タブレット、ＭＰ５など、デスプレイ機能を有する携帯型電子装置は、スペースをとる従来の機械式キーボードの代わりにタッチパネルに採用されるようになった。
【０００３】
タブレット、スマートフォンなどの携帯型電子装置またはテレビは、手書き入力およびタッチ入力という機能を有する傾向にあり、指またはタッチペンによりタッチ操作が行なわれ、利便性が高かった。しかし、タブレット、スマートフォンなどの携帯型電子装置のタッチパネルが小さく、手書き入力およびタッチ入力を行なう際、不便を感じさせることが多かった。そのため、かつて盛んに開発された携帯に便利な機械式キーボードが、小型化および／または薄型化されるという逆戻り傾向が生まれた。小型化および／または薄型化された機械式キーボードは、ＵＳＢまたはブルートゥースによりタブレット、スマートフォンなどの携帯型電子装置に接続して使用される。これにより、入力には便利になったものの、小型化および／または薄型化された機械式キーボードが場所を取ったため、携帯に不便という短所があった。
【０００４】
組立型および折畳型のキーボードも考案されたが、小型キーボードと同様に携帯に不便であった。
【考案の概要】
【考案が解決しようとする課題】
【０００５】
本考案の目的は、携帯および使用に便利な入力装置を提供することにある。
【課題を解決するための手段】
【０００６】
上述の目的を達成するため、本考案は、入力装置を提供する。本考案の入力装置は、フレキシブルな本体、センサー電極層および保護層を含む。フレキシブルな本体は、第１の側および第２の側を有する。センサー電極層は、第１のセンサー電極および第２のセンサー電極を有し、フレキシブルな本体の第２の側に設けられている。第１のセンサー電極および第２のセンサー電極は、相互に対応するように設けられている。保護層は、フレキシブルな本体の第２の側に対応するように設けられ、センサー電極層を覆っている。これにより、携帯および使用に便利な入力装置を提供することができる。
【考案の効果】
【０００７】
本考案の入力装置は、フレキシブルな本体が高分子材料からなり、フレキシブルで軽くて薄いため、携帯に便利である。図案層上に虚構のキーまたは図形文字があるため、機械式キーボードを用いる必要がない。織物として衣服またはその他の身に付けるものに装着し、入力装置により直接入力することができる。
【図面の簡単な説明】
【０００８】
【図１】本考案の第１の実施形態による入力装置を示す分解斜視図である。
【図２】本考案の第１の実施形態による入力装置を示す斜視図である。
【図３】本考案の第２の実施形態による入力装置を示す斜視図である。
【図４】本考案の第２の実施形態による入力装置を示す斜視図である。
【図５】本考案の第３の実施形態による入力装置を示す斜視図である。
【図６】本考案の第４の実施形態による入力装置を示す断面図である。
【図７】本考案の第５の実施形態による入力装置を示す断面図である。
【図８】本考案の第６の実施形態による入力装置を示す斜視図である。
【図９】本考案の第７の実施形態による入力装置を示す斜視図である。
【図１０】本考案の第８の実施形態による入力装置を示す斜視図である。
【考案を実施するための形態】
【０００９】
以下、本考案の実施形態を図面に基づいて説明する。
【００１０】
図１および図２を参照する。図１は、本考案の第１の実施形態による入力装置を示す分解斜視図である。図２は、本考案の第１の実施形態による入力装置を示す斜視図である。図１および図２に示すように、本考案の入力装置１は、フレキシブルな本体１１、センサー電極層１２および保護層１３を含む。
【００１１】
フレキシブルな本体１１は、第１の側１１１および第２の側１１２を有する。センサー電極層１２は、透明または透光のＩＴＯ、ナノ銀および金属ペーストのうちの一つであり、第１のセンサー電極１２１および第２のセンサー電極１２２を有する。第１のセンサー電極１２１および第２のセンサー電極１２２は、相互に対応するように設けられているが、接触はしていない。センサー電極層１２は、フレキシブルな本体１１の第２の側１１２に設けられている。保護層１３は、フレキシブルな本体１１の第２の側１１２に対応するように設けられ、センサー電極層１２を覆っている。
【００１２】
フレキシブルな本体１１は、タッチコントロールエリア１１３および非タッチコントロールエリア１１４を画定している。非タッチコントロールエリア１１４は、タッチコントロールエリア１１３の周りに設けられている。センサー電極層１２の第１のセンサー電極１２１および第２のセンサー電極１２２は、タッチコントロールエリア１１３内に設けられ、一部分が非タッチコントロールエリア１１４まで延伸しているが、相互に接触したり、重なったりはしていない。
【００１３】
図３および図４を参照する。図３は、本考案の第２の実施形態による入力装置を示す斜視図である。図４は、本考案の第２の実施形態による入力装置を示す斜視図である。図３および図４に示すように、本実施形態は、構造において第１の実施形態と同様であるため、異なる部分のみ説明を加える。本実施形態は、ソフト回路基板２をさらに含む。ソフト回路基板２は、フレキシブルな本体１１の長辺（図３参照）または短辺（図４参照）に選択的に設けられ、第１のセンサー電極１２１および第２のセンサー電極１２２に電気的に接続している。ソフト回路基板２は、入力装置１をその他の電子装置に接続させて用いたり、外部の給電装置（モバイルバッテリー）に接続して電力を得たりすることができる。
【００１４】
図５を参照する。図５は、本考案の第３の実施形態による入力装置を示す斜視図である。図５に示すように、本実施形態は、構造において第１の実施形態と同様であるため、異なる部分のみ説明を加える。本実施形態は、無線信号発射装置３をさらに含む。無線信号発射装置３は、第１のセンサー電極１２１および第２のセンサー電極１２２に電気的に接続し、赤外線発射器、ブルートゥース発射器、ＲＦＩＤおよびＮＣＦ通信チップのうちの一つが選択される。無線信号発射装置３は、入力装置１をその他の電子装置に接続させて用いたり、無線信号の電磁波から電力を得て使用したりすることができる。
【００１５】
図６を参照する。図６は、本考案の第４の実施形態による入力装置を示す断面図である。図６に示すように、本実施形態は、構造において第１の実施形態と同様であるため、異なる部分のみ説明を加える。本実施形態は、電磁シールド４をさらに含む。電磁シールド４は、保護層１３上でフレキシブルな本体１１の第２の側１１２と反対の側に設けられている。電磁シールド４は、ＥＭＩシールドで、入力装置１の伝達する信号がノイズの影響を受けるのを防ぐことができる。
【００１６】
図７を参照する。図７は、本考案の第５の実施形態による入力装置を示す断面図である。図７に示すように、本実施形態は、構造において第１の実施形態と同様であるため、異なる部分のみ説明を加える。本実施形態は、図案層５をさらに含む。図案層５は、プリント、エッジングまたはプレスによりフレキシブルな本体１１の第１の側１１１および保護層１３のうちの一つに形成される。本実施形態において、図案層５をフレキシブルな本体１１の第１の側１１１に設けて説明を行なうが、これに限定されるものではない。図案層５は、第１の側１１１に虚構のキーまたは図形文字を出現させることができる。
【００１７】
上記各実施形態の入力装置１のフレキシブルな本体１１は、高分子材料からなり、フレキシブルで軽くて薄いため、携帯に便利である。高分子材料は、ＰＥＴ、ポリカーボネート、ポリエチレン、ポリ塩化ビニール、ポリプロピレン、ポリスチレン、ポリメタクリル酸メチル樹脂および環状オレフィン・コポリマーのうちの一つの材料である。
【００１８】
図８を参照する。図８は、本考案の第６の実施形態による入力装置を示す斜視図である。図８に示すように、上記各実施形態の入力装置１は、キーボードおよび書き込みプレートの入力機能を有する。キーボードまたは書き込みプレートは、切り換えユニット６により自由に選択して入力に用いることができる。切り換えユニット６は、実体のあるボタンおよびスライドスイッチのうちの１つである。図８においては、実体のあるボタンを用いているが、これに限定されるものではない。また、切り換えユニット６は、センサー電極層１２に電気的に接続している。
【００１９】
図９を参照する。図９は、本考案の第７の実施形態による入力装置を示す斜視図である。図９に示すように、本実施形態は、構造において第１の実施形態と同様であるため、異なる部分のみ説明を加える。本実施形態の入力装置１は、フレキシブルな本体１１の非タッチコントロールエリア１１４に電源７を設けている。電源７は、第１のセンサー電極１２１および第２のセンサー電極１２２に電気的に接続している。電源７は、充電池、交換可能な電池、ソーラー電池およびバイオ燃料電池農地の一つで、無線入力の電力として用いられる。
【００２０】
図１０を参照する。図１０は、本考案の第８の実施形態による入力装置を示す斜視図である。図１０に示すように、本実施形態は、構造が第１の実施形態と同様であるため、異なる部分のみ説明を加える。本実施形態の入力装置１は、織物８と結合してもよく、また高分子により直接フレキシブルな本体１１を織物８上に組み込んでもよい。織物８は、衣服またはその他の身に付けるものでもよく、衣服の入力装置１により直接入力することができる。
【００２１】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２２】
１      入力装置
２      ソフト回路基板
３      無線信号発射装置
４      電磁シールド
５      図案層
６      切り換えユニット
７      電源
８      織物
１１    フレキシブルな本体
１２    センサー電極層
１３    保護層
１１１  第１の側
１１２  第２の側
１１３  タッチコントロールエリア
１１４  非タッチコントロールエリア
１２１  第１のセンサー電極
１２２  第２のセンサー電極
【図１】
0003185395.tif 000003
【図２】
0003185395.tif 000004
【図３】
0003185395.tif 000005
【図４】
0003185395.tif 000006
【図５】
0003185395.tif 000007
【図６】
0003185395.tif 000008
【図７】
0003185395.tif 000009
【図８】
0003185395.tif 000010
【図９】
0003185395.tif 000011
【図１０】
0003185395.tif 000012